(57)【要約】  ラッチデバイス（３００）は、基板への取り付けに適したベース（３０２），カバー（３０４，ベースおよびカバーを接続する細長いストラップヒンジ（３０６），ヒンジガイド構造（３１４）および／またはカム構造およびロッキング機構（３２０、３２４）を含む。カバーは、開位置と閉位置との間で、ベースに対してストラップヒンジの周囲を選択的に移動できる。ヒンジガイド構造は、細長いストラップヒンジに近接した曲面を有し、当該曲面は、カバーがベースに対して動かされるときに、ストラップヒンジの全長のかなりの部分を通して力を分散することを補助する。カム構造は、カバーを開位置の方に付勢するカム面を含み得る。ラッチデバイスは、帆船，キャンパー，防水布，スーツケース，バックパックおよび他のスポーツ用品に対するタイダウンを含む、さまざまな分野において有用である。
2007535349.tif 000002
【特許請求の範囲】
【請求項１】
ラッチデバイスであって、
基板に対する取り付けに適したベースと、
細長いストラップヒンジと、
前記細長いストラップヒンジによってヒンジで動くように前記ベースに取り付けられたカバーと、
前記カバーまたは前記ベースに配置されたヒンジガイド構造と、
前記ベースに対して前記カバーを選択的にロックし且つアンロックするロッキング機構と、を含み、
前記カバーは、前記ベースに対する開位置と閉位置との間で前記ストラップヒンジの周囲を移動自在であり、前記ヒンジガイド構造は曲面を与え、前記カバーが前記ベースに対して選択的に動かされるときに当該曲面の周囲では、前記細長いストラップヒンジがその全長のかなりの部分にわたって曲がるようになることを特徴とするラッチデバイス。
【請求項２】
前記曲面は前記ベースに配置され、前記細長いストラップヒンジに隣接していることを特徴とする請求項１記載のラッチデバイス。
【請求項３】
前記カバーが前記ベースに対して選択的に動かされるときに、前記曲面は、前記ストラップヒンジの全長のかなりの部分にわたって曲げ力を分散するように前記細長いストラップヒンジと相互作用することを特徴とする請求項１記載のラッチデバイス。
【請求項４】
前記曲面は、前記カバーの下面に取り付けられたカム構造において配置されることを特徴とする請求項１記載のラッチデバイス。
【請求項５】
前記カム構造は、前記曲面の反対側にあるカム面をさらに含み、当該カム面は前記開位置の方に前記カバーを付勢するように前記ベースと相互作用することを特徴とする請求項４記載のラッチデバイス。
【請求項６】
前記カム構造は、前記カバーが前記閉位置にあるときに前記ベースと前記細長いストラップヒンジとの間の空間の内側に適合し且つ当該空間を満たすことを特徴とする請求項４記載のラッチデバイス。
【請求項７】
前記ベース，前記カバーおよび前記細長いストラップヒンジは、単体として一体的に形成されていることを特徴とする請求項１記載のラッチデバイス。
【請求項８】
前記ラッチは、熱可塑性プラスチック材料をインジェクション形成することによって形成されることを特徴とする請求項７記載のラッチデバイス。
【請求項９】
前記細長いストラップヒンジは、前記カバーおよび前記ベースの断面厚さ未満である断面厚さを有し、前記カバーおよび前記ベースは、前記細長いストラップヒンジに取り付けられていることを特徴とする請求項１記載のラッチデバイス。
【請求項１０】
前記ロッキング機構は、小穴に挿入自在なコッターピン，ボルトおよびナット，ネジ込みオーガースクリュー，ロッキングピンまたはラッチのうちの１つを含むことを特徴とする請求項１記載のラッチデバイス。
【請求項１１】
前記ロッキング機構は、前記ベースの対応する窪みに適合する、カバーにおける少なくとも１つの突出部かまたは前記カバーの対応する窪みに適合する、ベースにおける少なくとも１つの突出部を含むことを特徴とする請求項１記載のラッチデバイス。
【請求項１２】
前記ベースにおけるスロットと、前記カバーにおける対応するベアリング突出部と、をさらに含むことを特徴とする請求項１記載のラッチデバイス。
【請求項１３】
ラッチデバイスであって、
基板に対する取り付けに適したベースと、
細長いストラップヒンジと、
前記細長いストラップヒンジによってヒンジで動くように前記ベースに取り付けられたカバーと、
前記カバーの下面から延在し且つ前記開位置の方に前記カバーを付勢するように前記ベースと相互作用するカム面を含むカム構造と、を含み、
前記カバーは、前記ベースに対する開位置と閉位置との間で前記ストラップヒンジの周囲を移動自在であることを特徴とするラッチデバイス。
【請求項１４】
前記カム構造は、前記カム面とは反対側にありヒンジガイドとして機能する曲面を更に含み、前記カバーが前記ベースに対して選択的に動かされるときに当該曲面の周囲では、前記細長いストラップヒンジがその全長のかなりの部分にわたって曲がるようになることを特徴とする請求項１３記載のラッチデバイス。
【請求項１５】
前記ベース，前記カバー，前記細長いストラップヒンジおよび前記カム構造は、単体として一体的に形成されることを特徴とする請求項１３記載のラッチデバイス。
【請求項１６】
前記ラッチは、熱可塑性材料をインジェクション形成することによって形成されることを特徴とする請求項１５記載のラッチデバイス。
【請求項１７】
前記ロッキング機構は、小穴に挿入自在なコッターピン，ボルトおよびナット，ネジ込みオーガースクリュー，ロッキングピンまたはラッチのうちの１つを含むことを特徴とする請求項１３記載のラッチデバイス。
【請求項１８】
前記ロッキング機構は、前記ベースの対応する窪みに適合する、カバーにおける少なくとも１つの突出部かまたは前記カバーの対応する窪みに適合する、ベースにおける少なくとも１つの突出部を含むことを特徴とする請求項１記載のラッチデバイス。
【請求項１９】
カバーおよび基板を相互接続することにおいて使用するヒンジ機構であって、
基板に取り付け自在な第１の端部とカバーに取り付け自在な第２の端部とを有する細長いストラップヒンジと、
前記基板または前記カバーに取り付け自在なヒンジガイド構造と、を含み、
前記ヒンジガイド構造は曲面を含み、前記カバーが前記基板に対して選択的に動かされるときに当該曲面の周囲では、前記細長いストラップヒンジがその全長のかなりの部分にわたって曲がるようになることを特徴とするヒンジ機構。
【請求項２０】
基板に対してヒンジで連結されるカバーであって、
カバーと、
一端が前記カバーに取り付けられた細長いストラップヒンジと、
前記カバーにおけるカム構造と、を含み、
前記細長いストラップヒンジは前記基板に取り付けられる他端を有し、前記カム構造はカム面を含み、当該カム面は前記カバーを前記基板に対して開位置の方に付勢するように前記基板と相互作用することを特徴とするカバー。
【発明の詳細な説明】
【技術分野】
【０００１】
本発明は、例えばボート，キャンパー，防水布，スーツケース，バックパック，他のスポーツ用品に対するタイダウンなどの、さまざまな分野において使用され得る係止具（以下、ラッチデバイスと称する）に関する。
【背景技術】
【０００２】
ラッチデバイスは、さまざまな物品を固定するかまたは締め付けるために、さまざまな分野において使用されている。既存のデバイスは、複雑であり、使用が難しく且つ時期尚早に摩滅することが多い。これらの問題のために、ボート，キャンパー，防水布，スーツケース，バックパック，他のスポーツ用品に対するタイダウンなどのような、幅広い範囲の物品を固定するために使用され得る、簡単で使用しやすく且つ耐久性のラッチデバイスに対する必要性がある。
【０００３】
特別な道具または過剰な力を必要とすることなく開閉し易く、更に低価格で製造することができ且つ高耐久力を示し得るラッチデバイスを提供することは、技術的に進歩であろう。
【好ましい実施例の概要】
【０００４】
本発明は、ボート，キャンパー，防水布，スーツケース，バックパック，他のスポーツ用品に対するタイダウンを含むさまざまな領域において使用され得るラッチデバイスを対象にしている。
【０００５】
ラッチデバイスは、基板への取り付けに適したベース，細長いストラップヒンジ（elongate strap hinge），当該細長いストラップヒンジによってベースに取り付けられたカバー，カム構造およびロッキング機構を含む。当該カバーは、ベースに対して開位置と閉位置との間でストラップヒンジの周囲を動く。
【０００６】
カム構造は、カバーまたはベースにおいて配置され得る。カム構造は曲面を含み、その周囲では、カバーがベースに対して選択的に動かされる際に細長いストラップヒンジが曲がり、細長いストラップヒンジはその全長のかなりの部分にわたって曲がるようになる。保持されるべき物品は、ベースにおいて（例えば、ベース間に形成されたスロットにおいて）配置され、その後、カバーが続いて閉じられてベースに対してロックされる。
【０００７】
細長いストラップヒンジは、カム構造の曲面の周囲で曲がるので、ストラップヒンジは破損に対して特に耐性がある。曲面は、ヒンジの動作に関連して生じ得る力，ねじれおよび応力の集中を抑制する。細長いストラップヒンジは、カム構造の曲面の周囲で曲がるので、応力および力は、ストラップヒンジのかなりの長さにわたって分布することとなる。
【０００８】
１つの実施例によると、カム構造の曲面はベースにおいて配置され、細長いストラップヒンジに隣接している。曲面に加えて、カム構造は、曲面とは反対側に位置したカム面をも含み得る。当該カム面はベースと相互作用し、開位置の方にカバーを付勢するようになる。
【０００９】
１つの実施例によると、カバーが閉位置にあるときに、カム構造はベースと細長いストラップヒンジとの間の空間に収まり且つ当該空間を埋める。
【００１０】
ラッチデバイスは、例えば熱可塑性プラスチック材料のインジェクション形成によって、単体として一体的に形成され得る。
【００１１】
１つの実施例によると、細長いストラップヒンジは、カバーおよびベースの厚さ未満である断面厚さを有し、ここではカバーおよびベースが細長いストラップヒンジに取り付けられている。
【００１２】
ロッキング機構は、閉位置においてカバーをベースに対して保持するいかなる機構でもあり得る。例示的なロッキング機構は、カバーおよびベースを通って形成される穴を通して挿入されるコッターピン，カバーをベースにロックするためのボルトおよびナット，カバーおよびベースを通ってネジ込みされ、それらを共にロックするネジ込みオーガースクリュー、またはカバーおよびベースにおけるスロットを通して挿入する止めピン（locking pin）またはカバーおよびベースの間の機械的相互作用すなわち連動装置を含み得る。これらの例示的なロッキング機構は実例であり、他の多くの機構が代わりに使用され得る。
【００１３】
本発明のこれらのおよび他の利点および機能は、以下の説明および特許請求の範囲からより完全に明らかになるかまたは以下に記載のように本発明を実施することによって確認されるであろう。
【好ましい実施例の詳細な説明】
【００１４】
本発明のラッチデバイスの詳細な説明は、本発明の好ましい実施例を示す図面に特に関連して与えられる。同様な構造は同様な記号表示で与えられるということが理解されるであろう。ラッチデバイスは、基板に対する取り付けに適したベース，細長いストラップヒンジ，当該細長いストラップヒンジによってベースに取り付けられたカバー，カム構造およびロッキング機構を含む。
【００１５】
図１Ａおよび図１Ｂは、ベース１０２を有するラッチデバイス１００を示しており、当該ベースには、カバー１０４がヒンジで動くように取り付けられている。ラッチデバイス１００は、その一端がベース１０２に取り付けられ、もう一端がカバー１０４に取り付けられた細長いストラップヒンジ１０６をさらに含む。このように、カバー１０４は、ヒンジで動くようにベース１０２に取り付けられ且つベース１０２に対して開位置と閉位置との間で選択的に動かされる（例えば回転される）ことができる。ラッチデバイスは、カム構造１０８およびロッキング機構をも含む。好ましい実施例において、ラッチデバイスは、例えば熱可塑性プラスチック材料である単一タイプの材料から（例えばインジェクション形成によって）作られ得る。
【００１６】
ラッチデバイス１００のストラップヒンジ１０６は細長いので、一点または単線でよりもむしろその全長のかなりの部分にわたって徐々に曲がり得る。ストラップヒンジは、特定の点または線で過度に曲げられたりまたは応力が加えられたりしないので、このことは、長期にわたって弾力性があり且つ耐久性があるヒンジをもたらすこととなる。更に、細長いストラップヒンジ１０６は、その全長のかなりの部分にわたって徐々に曲がるので、一点または単線で曲がることが必要とされるヒンジと比較してより厚くより強い構造であり得る。このことは、そうでないものと比較して極めて強く且つ破損に対して耐久性のあるヒンジをもたらす結果となる。
【００１７】
幾つかの実施例において、細長いストラップヒンジ１０６は、隣接しているカバー１０４およびベース１０２の断面厚さ未満である断面厚さを有する。それでもなお、細長いストラップヒンジ１０６が、隣接するカバー１０４および／またはベース１０２の厚さ以上の厚さを有することは、本発明の範囲内である。
【００１８】
本発明の１つの特長によると、ストラップヒンジ１０６が緩和状態にあるときに、カバー１０４がベース１０２に対して開位置にとどまるように、細長いストラップヒンジ１０６は構成され得る。カバー１０４に対する力を加えることなくしてカバー１０４を開位置にとどめる性能は、カバー１０４とベース１０２との間に固定されべき物品（例えばロープ１１０）を配置することを容易にさせる。
【００１９】
ラッチデバイス１００は、曲面を有するカム構造１０８を含む。カバー１０４がベース１０２に対して開位置と閉位置との間で選択的に動かされるときに、当該曲面は細長いストラップヒンジ１０６と相互作用し、ヒンジ１０６がその全長のかなりの部分にわたって徐々に曲がるようにさせることをアシストする。カム構造および曲面は、カバー１０４またはベース１０２の一体部分を含んでも良いし、またはその代わりにカバー１０４またはベース１０２に取り付けられる分離部分を含んでも良い。図１Ａおよび図１Ｂに示された実施例において、カム構造１０８はカバー１０４に一体的に取り付けられている。
【００２０】
図１Ａにおいて、カム構造１０８は、カム面１１２および曲がりヒンジガイド面１１４を有するように示されている。ヒンジガイド面１１４は、細長いストラップヒンジ１０６と相互作用する曲面の一例であり、カバー１０４がベース１０２に対して動かされるときに、その全長のかなりの部分にわたってストラップヒンジ１０６が徐々に曲がることをアシストする。ヒンジガイド面１１４は、カバー１０４が動かされるときに、その全長のかなりの部分にわたって力を分散させることによって細長いストラップヒンジ１０６と相互作用するように有利に曲げられている。力が１つの場所に集中するというよりはむしろ、細長いストラップヒンジ１０６の長さのかなりの部分にわたって力が分散されることによって、ヒンジが特定の点または線で急激に曲がるデバイスと比較して、ヒンジの破損に対する耐性があるヒンジで連結されたラッチデバイスをもたらすこととなる。１つの実施例において、ヒンジガイド面１１４は、細長いストラップヒンジ１０６に対して外からの圧力を及ぼすことによって、（以下に十分に論じられる例示的なロッキング機構と組み合わせて）カバー１０４をロックされた位置に保持するのに役立ち得る。このことは、カバー１０４の長さを効率的に短くし、その結果、例示的なロッキング機構にカバー１０４をより堅く（例えば遊びを除去するように）保持させることをもたらす。
【００２１】
カム面１１２は、カバー１０４がベース１０２に対してロックされていない配置にあるときに、カバー１０４を開位置の方に付勢するようにベース１０２と相互作用するような状態で曲げられるかまたはある角度に曲げられる。このことは、ベース１０２およびカバー１０４の固定面の内部へのアクセスを改善し、保持される物品の挿入または除去を容易にする。
【００２２】
図１Ａに示された実施例において、カム構造１０８は、ベース１０２の方に延在するような態様でカバー１０４の内面に一体的に取り付けられている。さらに、図１Ｂに特に示されるように、カバー１０４が閉位置にあるときに、カム構造１０８はベース１０２と細長いストラップヒンジ１０６との間の窪み１１６の内部に受け入れられる。このことによって、より小型なラッチデバイス１００がもたらされる。
【００２３】
本発明によるラッチデバイスは、ひとたびカバーが閉じられるとカバー１０４を閉位置に保持するロッキング機構を含む。図１Ｂおよび図１Ｃに示されるように、示された実施例は、例示的なロッキング機構を示しており、ここでコッターピン１１８は、カバー１０４およびベース１０２を通って形成される穴１２０を通して挿入される。当技術分野で周知であるロッキング機構が、ベース１０２に対してカバー１０４を選択的にロックしたりアンロックしたりするために使用され得る、ということが理解されるであろう。
【００２４】
ラッチデバイスは、ベアリング突出部１２２および対応するスロット１２４をさらに含み得る。ベアリング突出部１２２は、カバー１０４の内部であり且つ中央に設けられ、カバー１０４が閉位置にあるときにスロット１２４の方に延在する。ベアリング突出部１２２は、カバーが閉状態にあるときに（図１Ｂ）物品（例えば、ロープ，ケーブル，ストラップ，リング，バー，ロッド，ピン等）がスロット１２４の内部に固定されるのをアシストする。
【００２５】
図２Ａおよび図２Ｂは、本発明によるラッチデバイス２００の別の実施例を示しており、当該ラッチデバイスは、ベースに配置された簡易ヒンジガイド構造を含む。図２Ａおよび図２Ｂに示されたラッチデバイス２００は、ベース２０２および細長いストラップヒンジ２０６によってベース２０２に取り付けられたカバー２０４を含む。ベース２０２は、細長いストラップヒンジ２０６をその全長のかなりの部分にわたって徐々に曲がるようにさせるためのヒンジガイドとして機能する曲がり横断面（curved end surface）２０８をさらに含む。このように、ベース２０２の曲がり横断面２０８は、図１Ａおよび図１Ｂに示されたラッチデバイス１００のカム構造１０８の曲がりヒンジガイド面１１４と同じ態様で機能する。従って、カバー２０４が開位置（図２Ａ）から閉位置（図２Ｂ）に動かされるときに、細長いストラップヒンジ２０６は少なくとも部分的に曲がり横断面２０８に接触する。細長いストラップヒンジ２０６と曲がり横断面２０８とが隣接することによって、細長いストラップヒンジ２０６が曲がり横断面２０８の周囲で徐々に曲がり、細長いストラップヒンジ２０６の全長にわたって曲げ力および曲げ角度をより分散するようになる。
【００２６】
図３Ａは、ベース３０２に対して開位置にあるカバー３０４を含むラッチデバイス３００の別の実地例を示す断面図である。カバー３０４は、カム構造３０８がベース３０２の上面に僅かに接触するように、細長いストラップヒンジ３０６の周囲で回転させることによって手動で開けられ得る。しかし、細長いストラップヒンジ３０６の性質によって、カバー３０４がベース３０２に対して完全に開位置にあるときに、カバー３０４がベース３０２の方にまたはベース３０２から離れて付勢されることが可能である、ということが認識されるであろう。しかし、図３Ａに示された実施例において、カバー３０４がベース３０２に対して開位置にある間に、カム構造３０８がベース３０２の上面に軽く接触するように、細長いストラップヒンジ３０６はカバー３０４をベース３０２の方に徐々に付勢する。
【００２７】
図３Ｂに見られるように、カバー３０４がベース３０２の方に押し下げられると、カム構造３０８のカム面３１２は、ベース３０２の上面と接触し且つベース３０２の上面に対するスライドを作り出す。その結果、カム構造３０８をバネ状の態様で細長いストラップヒンジ３０６の方に付勢することとなる。結果として、カム面３１２のカム作用と組み合わせて、カム構造３０８は、カバー３０４をベース３０２に対して開位置の方に付勢するかまたは刺激する反対の付勢力を出すバネとして機能することができる。従って、ラッチデバイス３００が図３Ｂに示された形態にあり且つカバー３０４が外される場合には、図３Ａに示されたような形態に自発的に跳ね返り得る。しかし、カバー３０４の正確な静止形態は、カム構造３０８のサイズ，形状および相対位置およびベース３０２と接触している上面に依存している、ということが理解されるべきである。
【００２８】
図３Ｃに見られるように、カバー３０４がベース３０２の方にさらに押し下げられると、カム構造３０８のカム面３１２は、ベース３０２と接触し続け、カム構造３０８を細長いストラップヒンジ３０６の方にさらに押し下げる。従って、ラッチデバイス３００が図３Ｃに示された形態にあり且つカバー３０４が外される場合には、図３Ａに示されたような形態に自発的に跳ね返る（カム構造３０８およびベース３０２の実際のサイズ，形状および角度に左右される）。外力なしにカバー３０４を開位置に保つこの傾向は、使用者にとって都合が良い。その理由は、カバーとベースとの間に保持される物品の挿入が容易になるからである。
【００２９】
さらに、ラッチデバイス３００が図３Ｃに示された形態にあるときに、カム構造３０８の曲がりヒンジガイド面３１４は、細長いストラップヒンジ３０６の内面と接触している。曲がり面３１４と細長いストラップヒンジ３０６との間のこの接触は、カバー３０４が徐々に閉じられるときに、曲がり面３１４と細長いストラップヒンジ３０６との間の全接触長さにわたって徐々にカバー３０４を閉じる（すなわちヒンジを曲げる）ことに関連した力を分散する。このことは、カバー３０４が閉じられるときに、細長いストラップヒンジが、一点または単線で曲がるよりはむしろ、その全長にわたって曲がるかまたはその全長の少なくともかなりの部分にわたって曲がることをもたらす。この特徴は、細長いストラップヒンジ３０６がねじれることなく曲がることを可能にし、その結果、金属疲労および不必要な破損の可能性を減少させる。細長いストラップヒンジ３０６は、明確な局所的な曲がり角度で曲がるというよりはむしろ、その全長のかなりの部分にわたって徐々に曲がるので、フィルムヒンジ３０６は個々の局所的な曲がり角度で曲がるフィルムヒンジよりも極めて厚くあることができる。これらの特徴の組み合わせは、せん断力または曲げ力にさらされるときに破損に耐えることができる、かなり強く且つより耐久性のあるヒンジをもたらすこととなる。
【００３０】
カバー３０４は、ストラップヒンジ３０６の反対側にあるカバー３０４の端部から延在するロッキング突出部３２４とベース３０２の内部のロッキング窪み３２６との間の機械的相互作用によって閉位置に保持される。ロッキング突出部３２４は、カバー３０４がベース３０２における突出部３２８を越えて押されるとき、外向きに曲がる。カバー３０４をアンロックするために、ロッキング突出部３２４は、ロッキング窪み３２６から引き出され突出部３２８を越えて動かされる。カバー３０４および／またはベース３０２に位置付けられるかまたはカバー３０４および／またはベース３０２に取り付けられる突出部および窪みの組み合わせは、単独でもまたは本願に開示されるロッキング装置または当技術分野で周知の他のロッキング装置と組み合わせても、ロッキング機構として使用され得る。
【００３１】
別の例示的なロッキング機構は、図４〜図８に示されている。図４は、カバー４０４およびベース４０２における穴部４２０を通って挿入されるボルト４１８の使用を示している。ナット４１９は、穴部４２０の内部にボルト４１８を固定するようにボルト４１８に固定されている。カバー４０４は、ボルト４１８を穴部４２０の中に挿入し且つ穴部４２０から取り外すことによって、ベース４０２に対して選択的にロックされかつアンロックされ得る。
【００３２】
図５は、カバー５０４およびベース５０２の最前部において対応する穴部５２０に選択的に挿入されるかまたは穴部５２０から選択的に引き出されるピン５１８を示している。カバー５０４は、ピン５１８を穴部５２０の中に挿入し且つ穴部５２０から取り外すことによって、ベース５０２に対して選択的にロックされ且つアンロックされる。
【００３３】
図６は、ネジ込みオーガースクリュー６１８の使用を示しており、当該オーガースクリュー６１８は、カバー６０４の最前部において穴部６２０を貫通し且つベース６０２の最前部でネジ込み穴部６２１の中に取り付けられ、カバー６０４を選択的にベース６０２に固定し且つベース６０２から解放するようになる。
【００３４】
図７は、ロッキングピン７１８を示し、当該ロッキングピン７１８は、穴部７２０を通って挿入され且つロッキングタン（locking tongue）７２３がカバー７０４における窪みすなわち溝７２５の内部にかみ合うように回転され、カバー７０４をベース７０２に固定し且つベース７０２から解放するようになる。
【００３５】
図８は、ベース８０２に回転自在に接続されるラッチ８１８を含むロッキング機構を示しており、当該ラッチ８１８は、カバー８０４に取り付けられるかまたはカバー８０４に形成された小穴８２０に選択的に挿入され且つ当該小穴８２０から選択的に引き出され得る。
【００３６】
前述のロッキング機構は例示的であり、カバーをベースに固定することができるいかなるロッキング機構も使用され得る。
【００３７】
細長いストラップヒンジによってベースに取り付けられたカバー，ストラップヒンジがその長さのかなりの部分にわたって曲がるのを助ける曲面および／またはカバーを開位置の方に付勢するカム面についての一般概念は、他の周知の機構またはデバイスとともに使用可能であることが一般化され得るということが理解されるべきである。例えば、カバーは、ベースに取り付けられるよりはむしろ、細長いストラップヒンジによって例えば箱または他の容器に取り付けられるかもしれない。カバーを開位置の方に付勢する相互作用的なカム面および／または曲がりヒンジガイド構造が、本願で開示された利益のために、箱，容器または他の基板に対して開位置と閉位置との間で選択的に動かされ得る蓋またはカバーに延在して含まれても良い。
【００３８】
本発明は、その精神または必須の特徴から逸脱することなしに他の特定の形態において具体化され得る。説明された実施例は、あらゆる点において実例としてのみ考慮されるべきであり限定するものではない。従って、本発明の範囲は、前述の説明というよりはむしろ添付の特許請求の範囲によって示されるものである。特許請求の範囲の意味およびその均等物の範囲に入るあらゆる変更は、その範囲内に包含されるべきである。
【００３９】
本発明についての上述のおよび他の利点および機能をさらに明確にするために、本発明の特定の説明は、その特定の実施例に対する言及によって与えられ、添付図面において示されている。これらの図面は、本発明の代表的な実施例を示しており、その範囲を制限するものとして考慮されるべきではない、ということが認識される。本発明は、添付図面の使用を通してさらなる特殊性および詳説とともに記述され且つ説明されるであろう。
【図面の簡単な説明】
【００４０】
【図１Ａ】線をボートに固定するために使用される例示的なラッチデバイスの斜視図である。
【図１Ｂ】線をボートに固定するために使用される例示的なラッチデバイスの斜視図である。
【図１Ｃ】線をボートに固定するために使用される例示的なラッチデバイスの斜視図である。
【図２Ａ】本発明による別のラッチデバイスを示す図である。
【図２Ｂ】本発明による別のラッチデバイスを示す図である。
【図２Ｃ】本発明による別のラッチデバイスを示す図である。
【図３Ａ】ベースおよびカバーによって与えられる機械的な連動構造を含む、本発明によるラッチデバイスの動作を示す図である。
【図３Ｂ】ベースおよびカバーによって与えられる機械的な連動構造を含む、本発明によるラッチデバイスの動作を示す図である。
【図３Ｃ】ベースおよびカバーによって与えられる機械的な連動構造を含む、本発明によるラッチデバイスの動作を示す図である。
【図３Ｄ】ベースおよびカバーによって与えられる機械的な連動構造を含む、本発明によるラッチデバイスの動作を示す図である。
【図４】カバーおよびベースを通る穴に適合するネジ込みボルトを含むロッキング機構を備える、例示的なラッチデバイスを示す図である。
【図５】カバーおよびベースにおいて対応する穴の内部に適合するピンを含むロッキング機構を備える、例示的なラッチデバイスを示す図である。
【図６】カバーにおける穴を貫通し且つベースにおけるネジ込み穴とネジ止めされているネジ込みオーガースクリューを含むロッキング機構を備える、例示的なラッチデバイスを示す図である。
【図７】カバーにおける窪みすなわち溝に適合するロッキングタンを有するロッキングピンを含むロッキング機構を備えるラッチデバイスを示す図である。
【図８】カバーにおける小穴に適合する、ベースにおける回転自在なラッチを含むロッキング機構を備える、例示的なラッチデバイスを示す図である。
【図１Ａ】
2007535349.tif 000003
【図１Ｂ】
2007535349.tif 000004
【図１Ｃ】
2007535349.tif 000005
【図２Ａ】
2007535349.tif 000006
【図２Ｂ】
2007535349.tif 000007
【図２Ｃ】
2007535349.tif 000008
【図３Ａ】
2007535349.tif 000009
【図３Ｂ】
2007535349.tif 000010
【図３Ｃ】
2007535349.tif 000011
【図３Ｄ】
2007535349.tif 000012
【図４】
2007535349.tif 000013
【図５】
2007535349.tif 000014
【図６】
2007535349.tif 000015
【図７】
2007535349.tif 000016
【図８】
2007535349.tif 000017
【国際調査報告】
2007535349.tif 000018
2007535349.tif 000019
2007535349.tif 000020
2007535349.tif 000021
2007535349.tif 000022